(57)【要約】【課題】ユーザに不快感を与えるおそれが低減される包装体および包装体の製造方法を提供する。【解決手段】包装体１は内容物を出し入れするための開口１１Ｂを含む複数の容器１０と、開口１１Ｂを閉じるように複数の容器１０に接合される複数の蓋３０が一体化された蓋材２０とを備える。複数の容器１０は開口１１Ｂの周囲に設けられ、隣りの容器１０と対向する対向部１２Ａを含む。対向部１２Ａの少なくとも一部は隣りの容器１０と結合していない。【選択図】図１
2020083412.tif 000002
【特許請求の範囲】
【請求項１】
内容物を出し入れするための開口を含む複数の容器と、
前記開口を閉じるように前記複数の容器に接合される複数の蓋が一体化された蓋材とを備え、
前記複数の容器は前記開口の周囲に設けられ、隣りの容器と対向する対向部を含み、
前記対向部の少なくとも一部は前記隣りの容器と結合していない
包装体。
【請求項２】
前記複数の容器は互いに分離している
請求項１に記載の包装体。
【請求項３】
前記蓋材は前記複数の蓋を個別の蓋に分離できるように設けられるガイドを含む
請求項１または２に記載の包装体。
【請求項４】
前記複数の蓋は前記容器と接合されない非接合部を含み、
前記非接合部は個別の容器の前記対向部よりも外側に設けられる
請求項１〜３のいずれか一項に記載の包装体。
【請求項５】
前記対向部のうちの前記隣の容器と結合していない部分の形状は湾曲である
請求項１〜４のいずれか一項に記載の包装体。
【請求項６】
請求項１〜５のいずれか一項に記載の包装体の前記複数の容器に内容物を収容する収容工程と、
前記収容工程の後に実施され、前記開口が閉じられるように、前記蓋材を前記容器に接合する接合工程とを含む
包装体の製造方法。
【発明の詳細な説明】
【技術分野】
【０００１】
本発明は包装体および包装体の製造方法に関する。
【背景技術】
【０００２】
薬の適切な管理という側面から、所定の服用期間に対応する複数の容器が１つの集合体を構成する包装体が知られている。その一例である特許文献１に記載のお薬カレンダー(１)は薬剤(１０)を収容する複数の収容部(１ａ)が接続部(２)を介して結合した収容部連接体、および、複数の収容部(１ａ)の開口部(３ａｂ)を閉鎖する１枚のシート(５)を備える。服用者が薬剤(１０)を服用する場合、服用分の収容部(１ａ)が収容部連接体から分離される。
【先行技術文献】
【特許文献】
【０００３】
【特許文献１】特許第６０３５４６９号公報
【発明の概要】
【発明が解決しようとする課題】
【０００４】
収容部(１ａ)に収容された薬剤(１０)を服用する方法としては、一般に収容部(１ａ)内の薬剤(１０)を掌に載せ、掌から口腔内に投入する方法(以下では、「従来投入」という)が実施されている。従来投入では、収容部(１ａ)から薬を取り出すときに薬が掌に載らず、床等に落下することがある。この問題は服用者の身体能力が標準的な身体能力に比して低下している高齢者等において特に生じやすい。
【０００５】
このような背景から服用者が快適に服用できる環境の提供が望まれている。これを実現する手段の１つとして、本願発明者は収容部(１ａ)内の薬剤(１０)を直接的に口腔内に投入する方法(以下では、「直接投入」という)を検討した。直接投入では、収容部(１ａ)内の薬剤(１０)を掌に載せる動作が省略されるため、薬が床等に落下しにくい。一方、直接投入では、収容部(１ａ)内の薬を口腔内に投入する場合に収容部(１ａ)が唇に触れるため、唇にソフトな接触感が与えられることが好ましい。従来の収容部(１ａ)は直接投入を想定した構造ではない。このため、服用分の収容部(１ａ)が収容部連接体から分離されたときに接続部(２)の縁に粗い破断面が形成される。従来の収容部(１ａ)を用いて服用者が直接投入を実施した場合、この破断面に存在する凹凸が服用者の唇に触れることによって、服用者に不快感が与えられるおそれがある。なお、このような課題は収容部(１ａ)に収容されている内容物が薬剤(１０)である場合に限られず、例えばサプリメント等のように、口腔内に投入される内容物であれば同様に生じる。
【課題を解決するための手段】
【０００６】
(１)本発明に関する包装体は内容物を出し入れするための開口を含む複数の容器と、前記開口を閉じるように前記複数の容器に接合される複数の蓋が一体化された蓋材とを備え、前記複数の容器は前記開口の周囲に設けられ、隣りの容器と対向する対向部を含み、前記対向部の少なくとも一部は前記隣りの容器と結合していない。
上記包装体によれば、容器に収容されている内容物を口腔内に投入する場合、投入する分の容器および蓋が包装体から分離される。直接投入を実施する場合、包装体から分離された容器から蓋が剥がされ、開口が開放された容器がユーザの口元に運ばれる。対向部のうちの隣りの容器と結合していない部分、または、開口の周囲のうちの対向部以外の部分がユーザの唇に触れた場合、ユーザにソフトな接触感が与えられる。このため、ユーザに不快感が与えられるおそれが低減される。
【０００７】
(２)好ましい例では(１)に記載の包装体において、前記複数の容器は互いに分離している。
上記包装体によれば、対向部の全体が隣りの容器と結合していないため、開口の周囲のうちの対向部を含むいずれの部分がユーザの唇に触れた場合であってもユーザにソフトな接触感が与えられる。このため、ユーザに不快感が与えられるおそれが一層低減される。
【０００８】
(３)好ましい例では(１)または(２)に記載の包装体において、前記蓋材は前記複数の蓋を個別の蓋に分離できるように設けられるガイドを含む。
このため、複数の蓋のそれぞれをガイドに沿って、蓋材から個別に切り取ることができる。
【０００９】
(４)好ましい例では(１)〜(３)のいずれか一項に記載の包装体において、前記複数の蓋は前記容器と接合されない非接合部を含み、前記非接合部は個別の容器の前記対向部よりも外側に設けられる。
上記包装体によれば、口腔内に投入する分の容器および蓋が包装体から分離された後、蓋を容器から剥がす場合にユーザは非接合部を掴むことができる。このため、蓋を容器から容易に剥がすことができる。
【００１０】
(５)好ましい例では(１)〜(４)のいずれか一項に記載の包装体において、前記対向部のうちの前記隣の容器と結合していない部分の形状は湾曲である。
このため、対向部のうちの隣りの容器と結合していない部分がユーザの唇に触れた場合、ユーザに一層ソフトな接触感が与えられる。
【００１１】
(６)本発明に関する包装体の製造方法は(１)〜(５)のいずれか一項に記載の包装体の前記複数の容器に内容物を収容する収容工程と、前記収容工程の後に実施され、前記開口が閉じられるように、前記蓋材を前記容器に接合する接合工程とを含む。
上記包装体の製造方法によれば、(１)〜(５)のいずれか一項に記載の包装体と同様の効果が得られる。
【発明の効果】
【００１２】
本発明に関する包装体およびその製造方法によれば、ユーザに不快感を与えるおそれが低減される。
【図面の簡単な説明】
【００１３】
【図１】実施形態の包装体の斜視図。
【図２】図１の包装体から分離された個別の包装体の分解斜視図。
【図３】図１の包装体の平面図。
【図４】図３のＤ４−Ｄ４線に沿う断面図。
【図５】収容工程を示す斜視図。
【図６】接合工程を示す斜視図。
【図７】第１変形例の包装体のうちの個別の包装体の分解斜視図。
【図８】第１変形例の包装体の平面図。
【図９】第２変形例の包装体の容器の斜視図。
【発明を実施するための形態】
【００１４】
(実施形態)
図１は内容物Ｃを収容する包装体１の一例を示している。包装体１を構成する主な要素は複数の容器１０および蓋材２０である。内容物Ｃは任意に選択できる。一例では、内容物Ｃは薬、サプリメント、食品、飲料、および、調味料である。図１等に示される例では内容物Ｃは薬である。薬の一例は錠剤、散剤、カプセル剤、または、シロップ剤の処方薬である。好ましい例では、容器１０には、服用条件に従って分類された内容物Ｃが収容される。服用条件の一例は１日における服用時期、および、服用日数である。一例では、１回の服用分の内容物Ｃが１つの容器１０の収容部１１に収容される。
【００１５】
複数の容器１０を構成する材料は任意に選択できる。一例では、複数の容器１０はユーザーが容易に持ち運びできるような軽い材料によって構成される。その一例は合成樹脂である。合成樹脂の一例はポリスチレンである。複数の容器１０のうちの個々の容器１０は収容部１１およびフランジ１２に区分される。収容部１１は内容物Ｃを収容する空間１１Ａ、および、空間１１Ａに対して内容物Ｃを出し入れするための開口１１Ｂを含む。フランジ１２は収容部１１の開口１１Ｂの周囲に設けられる。一例では、フランジ１２は開口１１Ｂの周囲の全体に設けられる。
【００１６】
複数の容器１０は並べて配置される。複数の容器１０の数は任意に選択できる。一例では、蓋材２０の短辺方向ＸＡには、１日の服用回数ＮＡに対応する数の容器１０が並べられる。図１等に示される例では、蓋材２０の短辺方向ＸＡには４個の容器１０が並べられる。蓋材２０の長辺方向ＸＢには、服用日数ＮＢに対応する数の容器１０が並べられる。図１等に示される例では、蓋材２０の長辺方向ＸＢには７個の容器１０が並べられる。換言すれば、図１等に示される例では、１つの包装体１は２８個の容器１０を含む。
【００１７】
個々の容器１０のフランジ１２は隣りの容器１０と対向する対向部１２Ａを含む。複数の容器１０は対向部１２Ａのうちの少なくとも一部が隣りの容器１０と結合していない。対向部１２Ａのうちの隣りの容器１０と結合していない部分の形状は任意に選択できる。図２等に示される第１例では、対向部１２Ａのうちの隣りの容器１０と結合していない部分の形状は湾曲である。第１例の場合、対向部１２Ａのうちの隣りの容器１０と結合していない部分がユーザの唇に触れた場合、ユーザに一層ソフトな接触感が与えられる。第２例では、対向部１２Ａのうちの隣りの容器１０と結合していない部分の形状は角を含む。
【００１８】
複数の容器１０の配置態様は任意に選択できる。図１等に示される第１例では、複数の容器１０は互いに分離するように配置される。第１例では、個々の容器１０の対向部１２Ａの全体は隣りの容器１０と結合していない。このため、開口１１Ｂの周囲のうちの対向部１２Ａを含むいずれの部分がユーザの唇に触れた場合であってもユーザにソフトな接触感が与えられる。このため、ユーザに不快感が与えられるおそれが一層低減される。第２例では、複数の容器１０は対向部１２Ａのうちの少なくとも一部が隣りの容器１０と接触するように配置される。第２例の場合、対向部１２Ａのうちの隣りの容器１０と接触している部分は隣の容器１０と物理的に結合していない。
【００１９】
蓋材２０は容器１０の開口１１Ｂを閉じるようにフランジ１２に接合される。図３に示されるように、１枚の蓋材２０内に複数の蓋３０が設けられる。複数の蓋３０は一体化している。蓋材２０を用いて包装体１が構成される場合、蓋材２０における複数の蓋３０のそれぞれに対応して複数の容器１０が蓋材２０に接合される。
【００２０】
図４に示されるように、蓋材２０は複数の層が積層された層構造を備える。一例では、蓋材２０を構成する層は印刷層２１、中間層２２、および、イージーピールシーラント層２３である。印刷層２１は印刷のための層である。一例では、印刷層２１には容器１０に収容される内容物Ｃに応じて様々な情報が印刷される。中間層２２は蓋材２０の引き裂きやすさを高めるための層である。イージーピールシーラント層２３は容器１０に接合するための層である。各層２１〜２３の厚さは任意に選択できる。
【００２１】
印刷層２１は印刷される印刷面２１Ａ、および、印刷面２１Ａと反対側の背面２１Ｂを有する。中間層２２は背面２１Ｂと接合される第１中間面２２Ａ、および、第１中間面２２Ａと反対側の第２中間面２２Ｂを有する。イージーピールシーラント層２３は第２中間面２２Ｂと接合される第１接合面２３Ａ、および、第１接合面２３Ａと反対側の第２接合面２３Ｂを有する。包装体１では、背面２１Ｂと中間層２２の第１中間面２２Ａとが接合され、第２中間面２２Ｂと第１接合面２３Ａとが接合され、第２接合面２３Ｂとフランジ１２とが接合される。第１接合面２３Ａは中間層２２を介して間接的に背面２１Ｂと接合される。蓋材２０は例示した上記層構造以外の種々の層構造を取り得る。第１例では、蓋材２０は複数の中間層２２を備える。複数の中間層２２はそれぞれの機能および材質が同一である場合、および、異なる場合のいずれの形態も取り得る。第２例では、蓋材２０は中間層２２を含まない。この場合、イージーピールシーラント層２３の第１接合面２３Ａは印刷層２１の背面２１Ｂに直接的に接合される。
【００２２】
印刷層２１を構成する材料は印刷に適した材料から任意に選択できる。その一例は家庭用のインクジェットプリンターまたはレーザープリンターを用いた印刷に適した印刷用紙である。印刷層２１のサイズは任意に選択できる。印刷層２１のサイズの一例はＡ３判サイズ、Ａ４判サイズ、Ａ５判サイズ、Ｂ４判サイズ、または、Ｂ５判サイズである。中間層２２を構成する材料は任意に選択できる。その一例は透明蒸着性ポリエチレンテレフタレート、アルミニウム、または、ポリエチレンテレフタレートである。中間層２２を構成する材料がアルミニウムである場合、中間層２２が印刷層２１およびイージーピールシーラント層２３のそれぞれとポリエチレン層を介して接合されることが好ましい。アルミニウムで構成された中間層２２が蓋材２０に設けられる場合、蓋材２０の引き裂きやすさが一層高められる。イージーピールシーラント層２３を構成する材料は容器１０とヒートシールにより接合可能であり、かつ、接合された状態において容器１０から剥離できる材料から任意に選択できる。その一例はエチレン−酢酸ビニル共重合樹脂である。
【００２３】
蓋材２０には各蓋３０を分離するためのガイド２０Ａが形成される。このため、複数の蓋３０のそれぞれをガイド２０Ａに沿って蓋材２０から個別に切り取ることができる。ガイド２０Ａの構成は任意に選択できる。図３等で示される第１例では、ガイド２０Ａは蓋３０の外郭形状に沿うミシン目である。ミシン目の切り込みは図４に示される印刷層２１、中間層２２、および、イージーピールシーラント層２３の少なくとも１つを貫通する。図４に示される例では、印刷層２１、中間層２２、および、イージーピールシーラント層２３を貫通する。第２例では、ガイド２０Ａは蓋３０の外郭形状に沿う連続した切り込みである。第２例の切り込みは蓋材２０を貫通しない。ガイド２０Ａは蓋材２０に形成される各蓋３０の形状を規定する。蓋３０の形状は任意に選択できる。その一例は多角形または円である。図１等では蓋３０の形状が六角形の場合を例示している。複数の蓋３０は個別の容器１０と接合されない非接合部３０Ａを含む。蓋３０を容器１０から剥がす場合にユーザは非接合部３０Ａを掴むことができるため、蓋３０を容器１０から容易に剥がすことができる。非接合部３０Ａは個別の容器１０の対向部１２Ａ(図１参照)よりも外側に設けられる。一例では、非接合部３０Ａは個別の容器１０のフランジ１２の全体の外側に設けられる。
【００２４】
図３に示されるように、蓋３０の印刷層２１の印刷面２１Ａには、収容部１１に収容された処方薬に関する情報(以下「処方薬情報」)を表示する表示部４０が設けられる。処方薬情報は１種類または複数種類の情報を含む。処方薬情報の一例は、服用者(以下では、「ユーザ」という)の氏名、処方薬を服用する日付、処方薬の服用時期、および、処方薬の薬品名である。一例では、表示部４０はユーザの個人情報保護のための構成をさらに含む。この構成が取り得る形態の例は、１次元コードまたは２次元コードによって処方薬情報を表示する形態、および、処方薬情報が直接的に視認できないように個人情報保護シールが表示部４０に貼り付けられる形態である。図３等に示される例では、表示部４０は時期表示部４１および書誌情報表示部４２を含む。時期表示部４１は収容部１１に収容される内容物Ｃ(図１参照)の服用時期を文字により表示している。書誌情報表示部４２は処方薬のユーザの氏名、および、処方薬を服用する日付を１次元コードにより表示している。なお、図１および図６では表示部４０の図示を省略している。
【００２５】
図５および図６を参照して、包装体１の製造方法の一例について説明する。包装体１の製造方法では、印刷工程、収容工程、および、接合工程の順に各工程が実施される。印刷工程では、薬局に設置されているプリンターによって蓋材２０の印刷層２１に処方薬情報が印刷される。これにより、印刷層２１に表示部４０が形成される。準備工程の第１例では、薬剤師によって、複数の容器１０が作業台１００にセットされ、図５に示される投入装置２００によって、処方箋に基づいて各容器１０の収容部１１に規定の分量の処方薬が投入される。投入装置２００としては、例えば、特許第６０３５４６９号公報に記載の装置を用いることができる。準備工程の第２例では、複数の容器１０が作業台１００にセットされる作業、および、処方箋に基づいて各容器１０の収容部１１に規定の分量の処方薬が投入される作業が薬剤師によって実施される。
【００２６】
接合工程では、図６に示されるように各容器１０の開口１１Ｂが各蓋３０で閉じられるように１枚の蓋材２０が各容器１０に載せられ、ヒートシール装置(図示略)を用いてイージーピールシーラント層２３(図４参照)と容器１０のフランジ１２とがヒートシールされる。
【００２７】
包装体１の使用方法の一例について説明する。
薬剤師等の配薬者またはユーザはガイド２０Ａに沿って各蓋３０を切り取ることによって、蓋材２０とこれに接合された複数の容器１０とによって構成される包装体１から、１枚の蓋３０と１つの容器１０とにより構成される個別の包装体１を分離する。ユーザは個別の包装体１の蓋３０の非接合部３０Ａを掴み、蓋３０を個別の包装体１の容器１０から剥離させる。ユーザは開口１１Ｂの任意の箇所を口元に運び、内容物Ｃを直接的に口腔内に投入する。
【００２８】
包装体１によれば、次のような作用および効果が得られる。
容器１０に収容されている内容物Ｃを服用する場合、服用分の容器１０および蓋３０が包装体１から分離される。直接投入を実施する場合、包装体１から分離された容器１０から蓋３０が剥がされ、開口１１Ｂが開放された容器１０がユーザの口元に運ばれる。開口１１Ｂの周囲がユーザの唇に触れた場合、ユーザにソフトな接触感が与えられる。このため、ユーザに不快感が与えられるおそれが低減される。
(変形例)
なお、上記実施形態は本発明に関する包装体および包装体の製造方法が取り得る形態の例示であり、その形態を制限することを意図していない。本発明に関する包装体および包装体の製造方法は実施形態に例示された形態とは異なる形態を取り得る。その一例は、実施形態の構成の一部を置換、変更、もしくは、省略した形態、または、実施形態に新たな構成を付加した形態である。以下に実施形態の変形例の一例を示す。
【００２９】
・対向部１２Ａの構成は任意に変更できる。図７および図８に示されるように、第１変形例の包装体１の個別の容器１０は開口１１Ｂの周囲に設けられるフランジ１２を備える。フランジ１２の対向部１２Ａは隣りの容器１０と結合する結合部１２ＡＸ、および、隣りの容器１０と結合しない非結合部１２ＡＹを含む。第１変形例の場合、好ましい例では、個別の包装体１の隣り合う容器１０の結合部１２ＡＸの境界部分に、分離しやすいように、結合部１２ＡＸを貫通しないガイドが設けられる。容器１０に収容されている内容物Ｃを服用する場合、服用分の容器１０および蓋３０が包装体１から分離される。直接投入を実施する場合、包装体１から分離された容器１０から蓋３０が剥がされ、開口１１Ｂが開放された容器１０がユーザの口元に運ばれる。対向部１２Ａのうちの非結合部１２ＡＹ、または、開口１１Ｂの周囲のうちの対向部１２Ａ以外の部分がユーザの唇に触れた場合、ユーザにソフトな接触感が与えられる。このため、ユーザに不快感が与えられるおそれが低減される。
【００３０】
・容器１０の構成は任意に変更できる。図９に示されるように、第２変形例の包装体１の容器１０は開口１１Ｂの周囲にフランジが設けられない。第２変形例では、容器１０の端面１０Ａと蓋材２０のイージーピールシーラント層２３とが接合される。
【符号の説明】
【００３１】
１    ：包装体
１０  ：容器
１１  ：収容部
１１Ｂ：開口
１２Ａ：対向部
２０  ：蓋材
２０Ａ：ガイド
３０  ：蓋
３０Ａ：非接合部
Ｃ    ：内容物
【図１】
2020083412.tif 000003
【図２】
2020083412.tif 000004
【図３】
2020083412.tif 000005
【図４】
2020083412.tif 000006
【図５】
2020083412.tif 000007
【図６】
2020083412.tif 000008
【図７】
2020083412.tif 000009
【図８】
2020083412.tif 000010
【図９】
2020083412.tif 000011